【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
（ａ）目標の解剖学的構造に関連した目標組織領域にアクセスするよう適合させられたリードと、
（ｂ）前記リードに除去可能に係合した少なくとも第１の挿入ツールと、
を有する目標組織挿入システムであって、
前記目標組織領域は、解剖学的構造を規定し、前記リードは、前記目標組織領域の解剖学的構造に順応するよう適合させられた湾曲部を規定し、
前記挿入ツールは、前記目標組織領域に係合するよう前記目標の解剖学的構造の中へ前記リードを挿入するよう適合させられ、
前記挿入ツールは、前記リードが前記目標組織領域に対して位置づけられると除去可能である、
システム。
【請求項２】
請求項１に記載のシステムであって、前記第１の挿入ツールを包囲するリードに対して内部に位置づけられる第２の挿入ツールをさらに含むシステム。
【請求項３】
請求項１に記載のシステムであって、前記挿入ツールは、挿入中に前記リードに対して案内及び機械的支持をなすよう適合させられる、システム。
【請求項４】
請求項１に記載のシステムであって、前記リードは、前記目標組織領域の刺激、前記目標組織領域に関連した活動の記録動作及び前記目標組織領域への薬剤及び／又は化学物質の搬送からなるグループから選択された機能を行うよう前記目標組織領域をアクセスする、システム。
【請求項５】
請求項１に記載のシステムであって、前記リードは、前記目標組織領域の幾何学的構造に順応するように予め湾曲させられ、略硬直したものとなるように構成されている、システム。
【請求項６】
請求項１に記載のシステムであって、前記リードは、略ソフトで柔軟性のあるものとなるように構成され、前記目標の解剖学的構造に挿入された後に前記目標組織領域の前記幾何学的構造に順応するように湾曲するように適合させられる、システム。
【請求項７】
請求項１に記載のシステムであって、前記目標組織領域は、患者の頭蓋骨に包まれた脳の少なくとも一部である、システム。
【請求項８】
請求項７に記載のシステムであって、前記挿入ツールは、前記リードを略包囲した形で前記リードに対して外側に位置づけられる、システム。
【請求項９】
請求項８に記載のシステムであって、前記挿入ツールは、前記リードを前記目標組織領域に案内し前記頭蓋骨を貫通しない、システム。
【請求項１０】
請求項８に記載のシステムであって、前記挿入ツールは、前記リードを前記目標組織領域に案内し前記頭蓋骨を貫通する、システム。
【請求項１１】
請求項８に記載のシステムであって、前記挿入ツールの断面は、第１の幾何学的構造を規定し、前記挿入ツールにより包囲される前記リードの断面は、第２の幾何学的構造を規定し、前記第１及び第２の幾何学的構造は、相似である、システム。
【請求項１２】
請求項８に記載のシステムであって、前記挿入ツールの断面は、第１の幾何学的構造を規定し、前記挿入ツールにより包囲される前記リードの断面は、第２の幾何学的構造を規定し、前記第１の幾何学的構造と前記第２の幾何学的構造との幾何学的関係は、非回転対称関係である、システム。
【請求項１３】
請求項１２に記載のシステムであって、前記第１の幾何学的構造は、円形であり、前記第２の幾何学的構造は、四角形、楕円形及び三角形からなるグループから選択される、システム。
【請求項１４】
請求項１に記載のシステムであって、前記リードは、円形の孤の幾何学的構造及びコルク抜き形／螺旋状の幾何学的構造からなるグループから選択される幾何学的構造を規定する形で湾曲させられる、システム。
【請求項１５】
請求項１に記載のシステムであって、前記リードは、挿入中に目標の解剖学的構造を通じる経路に沿って移動するリード先端を規定し、前記リードの全ての部分は、前記リード先端と同じ経路に従う、システム。
【請求項１６】
請求項１又は２に記載のシステムであって、前記リードは、遠位端に開口部を近位端に閉鎖部を有した略管状のものであり、前記少なくとも第１の挿入ツールは、前記リードに対して内部に位置づけられる、システム。
【請求項１７】
請求項１６に記載のシステムであって、前記少なくとも第１の挿入ツールは、ガイドワイヤである、システム。
【請求項１８】
請求項１７に記載のシステムであって、前記第１の挿入ツールは、ガイドワイヤであり、前記第２の挿入ツールは、シリンジである、システム。
【請求項１９】
請求項１７に記載のシステムであって、前記第１の挿入ツールは、ガイドワイヤであり、前記第２の挿入ツールは、カニューレである、システム。
【請求項２０】
請求項１７に記載のシステムであって、前記第１の挿入ツールの断面は、第１の幾何学的構造を規定し、前記第１の挿入ツールを包囲する前記第２の挿入ツールの断面は、第２の幾何学的構造を規定し、前記第１及び第２の幾何学的構造は、相似である、システム。
【請求項２１】
請求項１７に記載のシステムであって、前記第１の挿入ツールの断面は、第１の幾何学的構造を規定し、前記第１の挿入ツールを包囲する前記第２の挿入ツールの断面は、第２の幾何学的構造を規定し、前記第１の幾何学的構造と前記第２の幾何学的構造との幾何学的関係は、非回転対称関係である、システム。
【請求項２２】
請求項２１に記載のシステムであって、前記第２の幾何学的構造は、円形であり、前記第１の幾何学的構造は、四角形、楕円形及び三角形からなるグループから選択される、システム。
【請求項２３】
請求項１４に記載のシステムであって、前記リード及び前記少なくとも第１の挿入ツールは、相似の湾曲部を規定する、システム。
【請求項２４】
請求項１に記載のシステムであって、前記リードは、予め湾曲させられ、直線状部及び湾曲部を含み、その湾曲部が前記目標組織領域に対して近位端にありかつその直線状部が前記目標組織領域に対して遠位端にあるようにした、システム。
【請求項２５】
請求項２４に記載のシステムであって、前記少なくとも第１の挿入ツールは、略直線状であり、前記リードに対して外部に位置づけられる、システム。
【請求項２６】
請求項２５に記載のシステムであって、前記湾曲部は、前記湾曲部が前記目標組織領域に届くようさらに挿入されるまで一時的に直線状にされこれにより実質的に湾曲した軌道経路に従うものとして前記挿入ツールに対して内部に留まる、システム。
【請求項２７】
請求項１に記載のシステムであって、前記少なくとも第１の挿入ツールは、前記リードに対して内部に位置づけられたガイドワイヤであり、前記少なくとも第１の挿入ツールは、前記目標組織領域に対して遠位端では略直線状部分を、前記目標組織領域に対して近位端では湾曲部を含む、システム。
【請求項２８】
請求項２７に記載のシステムであって、前記リードは、略ソフトで柔軟性があるように構成され、直線状部及び湾曲部を含み、その湾曲部は前記目標組織領域に対して近位端にありその直線状部は前記目標組織領域に対して遠位端にあるようにした、システム。
【請求項２９】
請求項２８に記載のシステムであって、前記リードに対して内部に除去可能に位置づけられる前記第１の挿入ツールを包囲する第２の挿入ツールをさらに含むシステム。
【請求項３０】
請求項２９に記載のシステムであって、前記第２の挿入ツールは、略直線状の軌道を規定する形で略硬直したものとなるよう構成される、システム。
【請求項３１】
請求項３０に記載のシステムであって、前記第１の挿入ツール及び前記リードは、挿入中に当該硬直した第２の挿入ツールにより直線状にされ、その後に、前記第２の挿入ツールが除去されると略湾曲した軌道経路に沿って移動する、システム。
【請求項３２】
請求項２７に記載のシステムであって、前記目標組織領域に到達させるために前記挿入ツール及びリードの挿入に対するサポートをなすための位置決め支援装置をさらに含むシステム。
【請求項３３】
請求項１に記載のシステムであって、前記少なくとも第１の挿入ツールは、ガイドワイヤであり、略螺旋状の又はコルク抜き形の幾何学的構造を規定する、システム。
【請求項３４】
請求項１に記載のシステムであって、前記リードは、略螺旋状の又はコルク抜き形の幾何学的構造を規定する、システム。
【請求項３５】
請求項１に記載のシステムであって、前記少なくとも第１の挿入ツールは、前記リードに対して内部に位置づけられるガイドワイヤであり、前記少なくとも第１の挿入ツールは、前記目標組織領域に対して遠位端には略直線状部を、前記目標組織領域に対して近位端には螺旋又はコルク抜き形状の部分を含む、システム。
【請求項３６】
請求項１に記載のシステムであって、前記リードは、前記目標組織領域に対して遠位端には略直線状部分を、前記目標組織領域に対して近位端には螺旋又はコルク抜き形の部分を含む、システム。
【請求項３７】
請求項１に記載のシステムであって、前記リードは、挿入中に少なくとも前記リードの遠位端において機械的横歪みを誘発させるために略長手方向において前記リードを通じて走る複数のワイヤをさらに含む、システム。
【請求項３８】
請求項１に記載のシステムであって、前記少なくとも第１の挿入ツールは、挿入中に少なくとも前記第１の挿入ツールの遠位端において機械的横歪みを誘発させるために略長手方向において前記挿入ツールを通じて走る複数のワイヤをさらに含む、システム。
【請求項３９】
リードの目標組織領域への挿入をなし前記目標組織領域の幾何学的構造との順応をなすための方法であって、
（ａ）既に湾曲したリードを用意し、又は未だ湾曲していないリードに湾曲した軌道を誘発させるステップと、
（ｂ）前記リードに対して少なくとも第１の挿入ツールを除去可能に係合させるステップと、
（ｃ）前記目標組織領域に到達するよう目標の解剖学的構造を通じて前記リード及び当該係合された挿入ツールを挿入するステップと、
を有し、
前記リードは、前記目標組織領域の幾何学的構造に順応するように湾曲させられ、
前記少なくとも第１の挿入ツールは、前記リードに対して内部又は外部に位置づけられることが可能であり、
前記リードは、前記目標組織領域の刺激印加、前記目標組織領域に関する活動の記録及び前記目標組織領域への薬剤及び／又は化学物質の搬送からなるグループから選択される機能を行うよう適合させられ、
前記少なくとも第１の挿入ツールは、前記リードを前記目標組織領域に届かせるように案内する、
方法。